(57)【要約】【課題】クマゼミが産卵しようとしても、光ファイバ心線にまで産卵管が到達することのなく、光ファイバ心線周囲への一括成形樹脂の回り込みを滑らかにする。【解決手段】紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルであって、前記防御テープは、平板状に形成され、上方から下方に向けて、あるいは下方から上方に向けて傾斜対向配置される。【選択図】図１
2009139440.tif 000002
【特許請求の範囲】
【請求項１】
紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルにおいて、
前記防御テープは、平板状に形成され、上方から下方に向けて、あるいは下方から上方に向けて傾斜対向配置されること
を特徴とする光ファイバケーブル。
【発明の詳細な説明】
【技術分野】
【０００１】
本発明は光ファイバケーブルに関する。
【背景技術】
【０００２】
夏季に発生するセミ、特にクマゼミが、この光ファイバケーブルに産卵することで、セミの産卵管によって光ファイバ心線に損傷又は断線が生じるといった事例が報告されている。この損傷又は断線の発生原因の１つとして、Ｖ溝ノッチ部が、クマゼミの産卵管を光ファイバ心線まで到達させるためのガイドとなってしまうため、光ファイバ心線６１の損傷又は断線が生じているということがわかっている。
【０００３】
このため、光ファイバテープ心線の両側位置に、抗張力繊維からなる保護材を配設することが提案されている。
【０００４】
特許文献１には、１本以上の光ファイバ心線又は複数本の光ファイバ心線を紫外線硬化型樹脂で被覆成形してなる１本以上の光ファイバテープ心線と抗張力体を、熱可塑性樹脂で一括成形被覆してなる光ファイバケーブルにおいて、一括被覆体の内部の、光ファイバ心線又は光ファイバテープ心線の両側位置に、抗張力繊維を紫外線硬化型樹脂、熱硬化型樹脂、又は熱可塑性樹脂で一括成形された保護材を配置したことを特徴とする光ファイバケーブルが提案されている。
【０００５】
特許文献２には、同様の構成で合成樹脂からなるモノワイラメントが提案されている。
【０００６】
【特許文献１】特開２００７−７２３７９号公報
【特許文献２】特開２００６−３１３３１４号公報
【発明の開示】
【発明が解決しようとする課題】
【０００７】
従来提案された構造によればクマゼミによる光ファイバ心線の損傷又は断線は減ってきたが、光ファイバ心線が周囲への一括成形樹脂の回り込みを滑らかにして、製造歩留まりを向上することが求められるようになった。
【０００８】
本発明は、かかる点に鑑みてクマゼミが産卵しようとしても、光ファイバ心線にまで産卵管が到達することがなく光ファイバ心線、周囲への一括成形樹脂の回り込みを滑らかにして、製造歩留まりを向上させた光ファイバを提供することを目的とする。
【課題を解決するための手段】
【０００９】
本発明は、紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルにおいて、
前記防御テープは、平板状に形成され、上方から下方に向けて、あるいは下方から上方に向けて傾斜対向配置されること
を特徴とする光ファイバケーブルを提供する。
【発明の効果】
【００１０】
本発明によれば、保護材からなる防御テープは、平板状に形成され、上方から下方に向けて、あるいは下方から上方に向けて傾斜対向配置されるために、クマゼミの産卵管は尖頭部によって斜めの方向にずれたものとなって光ファイバ心線にまで到達することがなく、また、光ファイバ心線周囲への一括成形樹脂の回り込みを滑らかにして、製造歩留まりを向上させることができる。
【発明を実施するための最良の形態】
【００１１】
以下、本発明の実施例を図面に基づいて説明する。
【実施例１】
【００１２】
図１は、本発明の実施例の構成を示す図である。
図１（イ）は１つの例を、そして図１（ロ）は変形例を示す。図１（イ）において、光ファイバケーブル１０は、ケーブル本体部１１と支持線部１２とで構成される。ケーブル本体部１１は、１本以上（図中では２本を図示）の光ファイバ心線１３，１３、Ａ抗張力体１４，１４Ａと、保護材からなる防御テープ１５，１５Ａと、熱可塑性樹脂で成形された一括成形被覆体１６が構成される。支持線部１２は、金属線材からなる線材本体（支持線）１７と、一括成形被覆体１８で構成される。一括成形被覆体１６と一括成形被覆体１８は一体的な構成であってもよい。光ファイバ心線１３，１３Ａ、抗張力体１４，１４Ａおよび線材本体１７は平行に、かつ一平面上に配設される。
【００１３】
防御テープ１５，１５Ａは、長手方向に一定の張力を付与した抗張力繊維を紫外線硬化型樹脂、熱硬化型樹脂、又は熱可塑性樹脂で一括成形させたものからなる。抗張力繊維は、複数本の繊維を一方向に配向したものや、繊維の織物などで構成される。
【００１４】
また、抗張力繊維の隣接する繊維間間隔（又は抗張力繊維のメッスサイズ）は、タマゼミの産卵管の外径よりも小さくされる。
【００１５】
そして、防御テープ１５，１５Ａは、平板状に形成され、上方から下方に向けて、あるいは下方から上方に向けて傾斜対向配置される。図１（イ）に示す例では上方から下方に向けて傾斜対向配置される。ここで上方から下方に向けてとは、光ファイバ心線１３，１３Ａ、抗張力体１４，１４Ａおよび線材本体１７が形成する一平面面上において上方から下方に向けてということである。
【００１６】
平板型であって、平行でなく特定の角度を持たせて傾斜対向させることによって、
１）平行に防禦テープ１５，１５Ａを添えるより、光ファイバ心線１３，１３Ａ周囲への樹脂の回り込みが滑らかに行われ、製造歩留まりを高めることができる。
２）特定の角度を持たせることにより、防禦テープ１５，１５Ａが平行なロート形状となり、樹脂が広い側から狭い方向に流れるため、光ファイバ心線１３，１３Ａを狭い側の中心に向かわせるセンタリング効果によって光ファイバ心線１３，１３Ａの位置が一括成形被覆体１６による外皮被覆時に所望の位置に把持され、その結果外皮収縮時に発生するマイクロベンド損失を低減させることができる。
【００１７】
保護材の抗張力繊維として、引張弾性率が約１０８ＧＰａのｐ型アラミド繊維を用いることができる。
抗張力繊維としては、例えば、アラミド繊維、ＰＶＡ繊維、ＰＢＯ繊維、ポリアセタール繊維、ＰＰ繊維、ＰＴＴ繊維、ポリアリレート繊維、ガラス繊維、などが挙げられる。
【００１８】
保護材を構成する熱硬化型樹脂としては、例えば、不飽和ポリエステル系、フェノール系、エポキシ系、ウレタン系、ビニルエステル系、などが挙げられる。
【００１９】
また、保護材を構成する熱可塑性樹脂としては、例えば、ＡＢＳ樹脂、ＡＥＳ樹脂、ＡＢＳ／ＰＶＣアロイ、ＡＳＡ樹脂、エチレン−塩化ビニル共重合体、フッ素樹脂、ポリアミドイミド、ポリアレート、オレフィンビニルアルコール重合体、フェノール樹脂、ポリアミド系樹脂（アモルファスポリアミド、変性ポリアミドなど）、ポリプチレンテレフタレート、ポリカーボネート、ポリエーテルスルホン、ポリチオエーテルスルホン、ポリエチレンテレフタレート、ポリイミド、ノルボルネン樹脂、ポリフェニレンエーテル、ポリフェニレンスルフィド、ポリ塩化ビニルなどや、これらの樹脂を主材として、変性又は合成、混合したもの、炭酸カルシウムやチタン酸カリウムウィスカー、カオリン粘土、タルク（登録商標）や雲母などの充填材を添加して硬度を向上させたもの、或いは架橋材を添加した後に架橋させて硬度を向上させたもの、などが挙げられる。
【００２０】
また、保護材１７を構成する紫外線硬化型樹脂としては、例えば、汎用で用いられているウレタン系の他に、窒素系、エポキシ系などが挙げられる。
【００２１】
図１は（ロ）は、図１（イ）の変形例を示す。図１（イ）と異なる点は、一括成形被覆体１６の外表面部には、防御テープ１５，１５Ａに向けて切り込み（ノッチ）２０，２０Ａが設けられていることである。これによって、一括成形樹脂１６を剥ぐときに、作業性を向上させることができる。
【図面の簡単な説明】
【００２２】
【図１】本発明の実施例の構成を示す図。
【符号の説明】
【００２３】
１０…光ファイバケーブル、１１…ケーブル本体、１２…支持線部、１３，１３Ａ…光ファイバ心線、１４，１４Ａ…抗張力体、１５，１５Ａ…防御テープ、１６…一括成形被覆体、１７…線材本体（支持線）、１８…一括成形被覆体、２０，２０Ａ…切り欠き（ノッチ，空隙）。
【図１】
2009139440.tif 000003